(57)【要約】【課題】接続される携帯型再生装置の破損を抑制することが可能な「車載用装置」を提供する。【解決手段】車載用モニタ装置１は、本体１０の側面１４を開口部２０とし、携帯型オーディオ再生装置７０が収容される孔部２１と、本体１０の周辺の温度を検出する温度検出部２６と、検出された温度が所定範囲外となった場合に、孔部２１に収容された携帯型オーディオ再生装置７０を孔部２１より排出させる駆動部２４、コネクタ支持部３２及びばね３４とを有する。【選択図】図４
2008265526.tif 000002
【特許請求の範囲】
【請求項１】
携帯型再生装置を接続する車載用装置であって、
本体と、
前記本体の側面を開口部とし、前記携帯型再生装置が収容される孔部と、
前記本体周辺の温度を検出する温度検出手段と、
前記温度検出手段により検出された温度が所定範囲外となった場合に、前記孔部に収容された携帯型再生装置を前記孔部より排出させる排出機構とを有することを特徴とする車載用装置。
【請求項２】
車両内の電源装置からの電力供給の遮断を検出する遮断検出手段を有し、
前記排出機構は、前記遮断検出手段により電力供給の遮断が検出された場合に、前記携帯型再生装置を前記孔部より排出させることを特徴とする請求項１に記載の車載用装置。
【請求項３】
前記排出機構により前記携帯型再生装置が前記孔部より排出される際に、前記開口部が第１の所定方向を向くように前記本体を回転させる回転機構を有することを特徴とする請求項１又は２に記載の車載用装置。
【請求項４】
前記回転機構は、前記携帯型再生装置が前記孔部に再度収容された場合に、前記開口部が第２の所定方向を向くように前記本体を回転させることを特徴とする請求項３に記載の車載用装置。
【請求項５】
前記排出機構により前記携帯型再生装置が前記孔部より排出される際に、所定の通知を行う通知手段を有することを特徴とする請求項１乃至４のいずれかに記載の車載用装置。
【発明の詳細な説明】
【技術分野】
【０００１】
本発明は、携帯型再生装置を接続する車載用装置に関する。
【背景技術】
【０００２】
近年、携帯型のオーディオ再生装置をはじめとする各種の携帯型の再生装置は、持ち運びに便利であることから、他の装置に接続して様々な機能を実現することが提案されている（特許文献１参照）。例えば、携帯型のオーディオ再生装置が広く普及していることに伴い、車載用装置に携帯型のオーディオ再生装置を接続するためのコネクタを設けて当該携帯型のオーディオ再生装置を接続することによって、車載用装置が携帯型のオーディオ再生装置に記憶されているオーディオデータを取り込んで再生を行うといった機能が実現されている。
【特許文献１】特開平１１−２７５１８１号公報
【発明の開示】
【発明が解決しようとする課題】
【０００３】
しかし、車室内は、例えば夏場の炎天下ではダッシュボード上が１００℃近い温度になる等、温度変化が大きく、携帯型のオーディオ再生装置を使用、あるいは、車室内に放置するには厳しい環境下にある。このため、高温あるいは低温による携帯型のオーディオ再生装置の破損を可能な限り回避する必要がある。
【０００４】
本発明の目的は、上述した問題を解決するものであり、接続される携帯型再生装置の破損を抑制することが可能な車載用装置を提供するものである。
【課題を解決するための手段】
【０００５】
本発明に係る、携帯型再生装置を接続する車載用装置は、本体と、前記本体の側面を開口部とし、前記携帯型再生装置が収容される孔部と、前記本体周辺の温度を検出する温度検出手段と、前記温度検出手段により検出された温度が所定範囲外となった場合に、前記孔部に収容された携帯型再生装置を前記孔部より排出させる排出機構とを有することを特徴とする。
【０００６】
この構成によれば、本体周辺の温度が所定範囲外になった場合には、孔部に収容された携帯型再生装置が当該孔部より排出されることにより、当該携帯型再生装置の使用時の破損を抑制することができる。
【０００７】
また、本発明に係る車載用装置は、車両内の電源装置からの電力供給の遮断を検出する遮断検出手段を有し、前記排出機構が、前記遮断検出手段により電力供給の遮断が検出された場合に、前記携帯型再生装置を前記孔部より排出させるようにしてもよい。
【０００８】
この構成によれば、車両内の電源装置からの電力供給が遮断されると、車両が停止して搭乗者が降車し、携帯型再生装置が車載用装置に接続されたまま放置される可能性が高いことに鑑み、車両内の電源装置からの電力供給が遮断された場合には、孔部に収容された携帯型再生装置が当該孔部より排出されることにより、当該携帯型再生装置が放置されることによる破損を抑制することができる。
【０００９】
また、本発明に係る車載用装置は、前記排出機構により前記携帯型再生装置が前記孔部より排出される際に、前記開口部が第１の所定方向を向くように前記本体を回転させる回転機構を有するようにしてもよい。
【００１０】
この構成によれば、例えば、開口部を搭乗者の方向に向けるようにすることで、搭乗者による携帯型再生装置の取り出しを容易ならしめることが可能となる。
【００１１】
また、本発明に係る車載用装置は、前記回転機構が、前記携帯型再生装置が前記孔部に再度収容された場合に、前記開口部が第２の所定方向を向くように前記本体を回転させるようにしてもよい。
【００１２】
この構成によれば、携帯型再生装置が孔部に再度収容された場合には、本体を回転させて、例えば開口部の向きを元に戻すようにすることで、搭乗者は別段の操作を行う必要がない。
【００１３】
また、本発明に係る車載用装置は、前記排出機構により前記携帯型再生装置が前記孔部より排出される際に、所定の通知を行う通知手段を有するようにしてもよい。
【００１４】
この構成によれば、通知がなされることにより、搭乗者に対して、より確実に携帯型再生装置の取り出しを促すことが可能となる。
【発明の効果】
【００１５】
本発明によれば、携帯型再生装置が破損する可能性がある環境下に存在する場合には、携帯型再生装置を排出させて、その破損を抑制することができる。
【発明を実施するための最良の形態】
【００１６】
以下、本発明の実施の形態について、図面を参照して具体的に説明する。
【００１７】
図１は、車載用装置としての車載用モニタ装置の正面図である。図１に示す車載用モニタ装置１は、通信インタフェース７２が設けられた携帯型オーディオ再生装置７０を接続し、当該携帯型オーディオ再生装置７０に記憶されたオーディオデータを取り込んで再生可能とするものである。
【００１８】
車載用モニタ装置１における本体１０には、通知手段としてのディスプレイ１２及びスピーカ１３が設けられている。また、本体１０には、側面１４を開口部２０とする孔部２１が形成されており、当該孔部２１に携帯型オーディオ再生装置７０が収容される。
【００１９】
以下、車載用モニタ装置１の内部構成について説明する。図２は、車載用モニタ装置１の内部構成を示す図である。車載用モニタ装置１は、内部電源２３を有する制御部２２と、排出機構としての駆動部２４と、温度検出手段としての温度検出部２６と、遮断検出手段としての電源断検出部２８とを有する。また、本体１０に形成された孔部２１の底部の側には、コネクタ３０と、当該コネクタ３０を支持する排出機構としてのコネクタ支持部３２と、排出機構としてのばね３４とが設けられている。更には、本体１０の底部の内部には、回転機構としてのモータ３６が設けられている。
【００２０】
次に、車載用モニタ装置１における携帯型オーディオ再生装置７０の排出動作についての第１実施例及び第２実施例を説明する。図３は、本体１０に携帯型オーディオ再生装置７０が収容された状態（第１の状態）を示す図であり、図４は、本体１０から携帯型オーディオ再生装置７０が排出された状態（第２の状態）を示す図である。
【００２１】
（第１実施例）
図３に示す第１の状態では、携帯型オーディオ再生装置７０が開口部２０から孔部１６内に収容される。この際、携帯型オーディオ再生装置７０が孔部１６を進行することによって、通信インタフェース７２がコネクタ３０を押圧する。これにより、通信インタフェース７２がコネクタ３０に接続されることになる。この際、ばね３４が縮退した状態となる。
【００２２】
その後、車載用モニタ装置１によって、コネクタ３０を介して携帯型オーディオ再生装置７０に記憶されたオーディオデータが取り込まれ、当該オーディオデータの再生が行われると、温度検出部２６は、周期的に本体１０の周辺の温度を検出し、その検出結果を制御部２２へ出力する。例えば、温度検出部２６はサーミスタ（図示せず）を内蔵し、温度変化に伴って変化する当該サーミスタの抵抗値を検出し、更に、その抵抗値に基づいて温度を検出する。
【００２３】
制御部２２は、温度検出結果を入力すると、その温度検出結果によって示される本体１０の周辺の温度が予め定められた温度範囲外であるか否かを判定する。ここで、温度範囲は、携帯型オーディオ再生装置７０の動作が保証される範囲であり、例えば０〜３５℃である。
【００２４】
本体１０の周辺の温度が予め定められた温度範囲外である場合、図４に示す第２の状態に移行する。すなわち、制御部２２は、駆動部２４に対してコネクタ支持部３２を開口部２０の方向へ移動させる指示を出す。駆動部２４は、この指示に従ってコネクタ支持部３２を開口部２０の方向へ移動させる。コネクタ支持部３２の移動に伴って、ばね３２が伸張し、通信インタフェース７２がコネクタ３０に接続された携帯型オーディオ再生装置７０は、開口部２０の方向へ移動し、孔部２１より排出される。なお、この際、通信インタフェース７２とコネクタ３０との接続を解除するようにしてもよい。
【００２５】
次に、制御部２２は、開口部２０が正面を向くようにモータ３６を駆動させる。これにより、図５に示すように、本体１０が回転して開口部２０が正面を向き、搭乗者が携帯型オーディオ再生装置７０を孔部２１より取り出しやすくなる。
【００２６】
更に、制御部２２は、孔部２１から携帯型オーディオ再生装置７０を排出すべき旨の文字を含んだ画像を生成し、当該画像をディスプレイ１２に表示させる制御を行う。また、制御部２２は、スピーカ１３にビープ音等の警告音を出力させる制御を行う。これにより、ディスプレイ１２には、孔部２１から携帯型オーディオ再生装置７０を排出すべき旨の文字を含んだ画像が表示されるとともに、スピーカ１３から警告音が出力され、搭乗者に対して、携帯型オーディオ再生装置７０の取り出しを促すことができる。
【００２７】
また、その後に再度、携帯型オーディオ再生装置７０が開口部２０から孔部１６内に収容され、通信インタフェース７２がコネクタ３０に接続された場合には、制御部２２は、再び、開口部２０が側方を向き、ディスプレイ１２が正面を向くようにモータ３６を駆動させる。これにより、本体１０は、再び、開口部２０が側方を向き、ディスプレイ１２が再び正面を向くように回転し、元に戻る。
【００２８】
（第２実施例）
第１実施例と同様、図３に示す第１の状態では、携帯型オーディオ再生装置７０が開口部２０から孔部１６内に収容される。この際、携帯型オーディオ再生装置７０が孔部１６を進行することによって、通信インタフェース７２がコネクタ３０を押圧する。これにより、通信インタフェース７２がコネクタ３０に接続され、ばね３２が縮退した状態となる。
【００２９】
このような状態において、電源断検出部２８は、車両内の電源装置（図示せず）から車載用モニタ装置１への電力供給の状態を検出し、その検出結果を制御部２２へ出力する。例えば、車両のアクセサリスイッチがオフされた場合には、車両内の電源装置から車載用モニタ装置１への電力供給が遮断される。制御部２２は、電源断の検出結果を入力すると、その検出結果が車両内の電源装置から車載用モニタ装置１への電力供給が遮断されたことを示しているか否かを判定する。
【００３０】
車両内の電源装置から車載用モニタ装置１への電力供給が遮断された場合、第１実施例と動揺、図４に示す第２の状態に移行する。すなわち、制御部２２は、駆動部２４に対して内部電源２３の電力を供給し、コネクタ支持部３２を開口部２０の方向へ移動させる指示を出す。
【００３１】
その後は、第１実施例と同様の動作が行われる。すなわち、駆動部２４は、制御部２２の指示に従ってコネクタ支持部３２を開口部２０の方向へ移動させる。コネクタ支持部３２の移動に伴って、ばね３２が伸張し、通信インタフェース７２がコネクタ３０に接続された携帯型オーディオ再生装置７０は、開口部２０の方向へ移動し、孔部２１より排出される。なお、この際、通信インタフェース７２とコネクタ３０との接続を解除するようにしてもよい。
【００３２】
次に、制御部２２は、モータ３６に内部電源２３の電力を供給し、開口部２０が正面を向くようにモータ３６を駆動させる。これにより、図５に示すように、本体１０が回転して開口部２０が正面を向き、搭乗者が携帯型オーディオ再生装置７０を孔部２１より取り出しやすくなる。
【００３３】
更に、制御部２２は、孔部２１から携帯型オーディオ再生装置７０を排出すべき旨の文字を含んだ画像を生成し、当該画像をディスプレイ１２に表示させる制御を行う。また、制御部２２は、スピーカ１３に警告音を出力させる制御を行う。これにより、ディスプレイ１２には、孔部２１から携帯型オーディオ再生装置７０を取り出すべき旨の画像が表示されるとともに、スピーカ１３から警告音が出力され、搭乗者に対して、携帯型オーディオ再生装置７０の取り出しを促すことができる。
【００３４】
また、その後に再度、携帯型オーディオ再生装置７０が開口部２０から孔部１６内に収容され、通信インタフェース７２がコネクタ３０に接続された場合には、制御部２２は、モータ３６に内部電源２３の電力を供給し、再び、開口部２０が側方を向き、ディスプレイ１２が再び正面を向くようにモータ３６を駆動させる。これにより、本体１０は、再び、開口部２０が側方を向き、ディスプレイ１２が再び正面を向くように回転し、元に戻る。
【００３５】
このように、本実施形態の車載用モニタ装置１では、本体１０の周辺の温度が予め定められた範囲外になった場合には、孔部２１に収容された携帯型オーディオ再生装置７０が当該孔部２１の開口部２０へ向けて移動して孔部２１より排出されるため、当該携帯型オーディオ再生装置７０の使用時の破損を抑制することができる。
【００３６】
本実施形態の車載用モニタ装置１では、車両内の電源装置からの電力供給が遮断された場合には、孔部２１に収容された携帯型オーディオ再生装置７０が当該孔部２１の開口部２０へ向けて移動して孔部２１より排出されるため、当該携帯型オーディオ再生装置７０が放置されることによる破損を抑制することができる。
【産業上の利用可能性】
【００３７】
以上、説明したように、本発明に係る車載用装置は、携帯型再生装置が破損する可能性がある環境下に存在する場合には、携帯型再生装置を排出可能として、その破損を抑制することができ、車載用装置として有用である。
【図面の簡単な説明】
【００３８】
【図１】本発明の実施形態に係る車載用モニタ装置の正面図である。
【図２】本発明の実施形態に係る車載用モニタ装置の内部構成を示す図である。
【図３】本体に携帯型オーディオ再生装置７０が収容された状態を示す図である。
【図４】本体から携帯型オーディオ再生装置７０が排出された状態を示す図である。
【図５】開口部が正面を向いた本体の正面図である。
【符号の説明】
【００３９】
１  車載用モニタ装置
１０  本体
１２  ディスプレイ
１３  スピーカ
１４  側面
２０  開口部
２１  孔部
２２  制御部
２３  内部電源
２４  駆動部
２６  温度検出部
２８  電源断検出部
３０  コネクタ
３２  コネクタ支持部
３４  ばね
７０  携帯型オーディオ再生装置
７２  通信インタフェース
【図１】
2008265526.tif 000003
【図２】
2008265526.tif 000004
【図３】
2008265526.tif 000005
【図４】
2008265526.tif 000006
【図５】
2008265526.tif 000007